(57)【要約】【課題】片手で、溶液の排出操作を行い、且つ、溶液の排出操作を行った手の平で溶液を受けることができるようにした、ポンプ装置付き容器を提供する。【解決手段】溶液吸引パイプ４に接続されたシリンダー手段５と、ピストン手段６と、ピストン手段６をシリンダー手段５の溶液吸引パイプ４が接続されている側に付勢する弾性体７とを備え、ピストン手段６は、中空部Ｓｐ６と、その先端に貫通孔ｈ６と、中空部Ｓｐ６内に移動可能に設けられ、貫通孔ｈ６を開閉する弁体９と、ピストン手段６の途中位置に、その下方位置に設けられた、操作レバーｐ６と、ピストン手段６の弾性体７が接続されている側の一端と、操作レバーｐ６が設けられている場所との間に、ピストン手段６の下方位置に、溶液吸引パイプ４の一端ｅ４から吸引された溶液を排出する溶液排出口１１とを備える。【選択図】図３
2005140102.tif 000002
【特許請求の範囲】
【請求項１】
溶液吸引パイプと、
前記溶液吸引パイプの一端に接続されたシリンダー手段と、
前記シリンダー手段内に移動可能に設けられたピストン手段と、
前記ピストン手段の一端に接続されるように設けられ、前記ピストン手段を前記シリンダー手段の前記溶液吸引パイプが接続されている側に付勢する弾性体とを備え、
前記ピストン手段は、
中空部と、
その先端に貫通孔と、
前記中空部内に移動可能に設けられ、前記貫通孔を開閉する第一の弁体と、
前記ピストン手段の途中位置に、前記ピストン手段の一方位置に設けられた、操作レバーと、
前記ピストン手段の前記弾性体が接続されている側の一端と、前記操作レバーが設けられている場所との間に、前記ピストン手段の一方位置に、前記溶液吸引パイプの一端から吸引された溶液を排出する溶液排出口とを備える、ポンプ手段。
【請求項２】
前記第一の弁体が、前記ピストン手段の先端に設けられている貫通孔を開閉する突起部と、前記突起部の後方位置に、ピストン手段の内径に等しいか概ね等しい直径を有し且つ貫通孔を有する鍔体とを備る、請求項１に記載のポンプ手段。
【請求項３】
前記ピストン手段の中空部の途中の位置に、弁体の移動を規制する突起を備える、請求項２に記載のポンプ手段。
【請求項４】
開口部を有する容器と、
前記容器の開口部に、請求項１〜３のいずれかに記載のポンプ手段とを備える、ポンプ装置付き容器。
【請求項５】
請求項１〜３に記載のポンプ手段のピストン手段の、前記ピストン手段の先端に設けられた貫通孔がある側と反対側の終端部に開口部を設け、
前記ピストン手段の終端部の開口部から、第二のピストン手段を挿入し、
前記第二のピストン手段を固定的に設け、
前記第二のピストン手段は、中空部を有し、
前記第二のピストン手段の前記ピストン手段が外装されている側と反対側の終端部は、大気に導通するようにされており、
前記第二のピストン手段の前記ピストン手段が外装されている側には、部屋部が設けられており、
前記第二のピストン手段の前記ピストン手段が外装されている側の先端部には、前記部屋部に導通する第一の貫通孔が設けられ、前記部屋部の前記ピストン手段が外装されている側の先端部と反対側の仕切壁には、第二の貫通孔が設けられ、且つ、
前記部屋部内には、前記第二の貫通孔の開閉を行うことができる第二の弁体が収容されており、且つ、
前記溶液排出口を前記ピストン手段の途中位置の、前記操作レバーが設けられている一方位置と反対側の他方位置に設けた、噴霧手段。
【請求項６】
請求項１〜３に記載のポンプ手段のピストン手段の、前記ピストン手段の先端に設けられた貫通孔がある側と反対側の終端部に開口部を設け、
前記ピストン手段の終端部の開口部から、第二のピストン手段を挿入し、
前記第二のピストン手段を固定的に設け、
前記第二のピストン手段は、中空部を有し、
前記第二のピストン手段の前記ピストン手段が外装されている側と反対側の終端部は、大気に導通するようにされており、
前記第二のピストン手段の前記ピストン手段が外装されている側と反対側には、部屋部が設けられており、
前記第二のピストン手段に設けた部屋部の、前記ピストン手段が外装されている側の仕切壁には、前記部屋部に導通する第一の貫通孔が設けられ、前記部屋部の前記ピストン手段が外装されている側とは反対側の仕切壁には、第二の貫通孔が設けられ、且つ、
前記部屋部内には、前記第二の貫通孔の開閉を行うことができる第二の弁体が収容されており、且つ、
前記溶液排出口を前記第二のピストン手段の途中位置の前記操作レバーが設けられている一方位置と反対側の他方位置に設けた、噴霧手段。
【請求項７】
開口部を有する容器と、
前記容器の開口部に、請求項５又は請求項６に記載の噴霧手段とを備える、ポンプ装置付き容器。
【発明の詳細な説明】
【技術分野】
【０００１】
本発明は、例えば、片手で、溶液の排出操作を行い、且つ、溶液の排出操作を行った手の平で溶液を受けることができるようにした、ポンプ手段及びポンプ装置付き容器、並びに、そのようなポンプ手段を利用した、噴霧手段及び噴霧装置付き容器に関する。
【背景技術】
【０００２】
シャンプーやリンスの容器として、ポンプ装置付き容器が既に開発されている。
【０００３】
図１５は、そのような従来のポンプ装置付き容器の一例を概略的に示す斜視図である。
従来のポンプ装置付き容器１０１は、溶液を収容する容器１０２と、ポンプ装置１０３とを備える。
【０００４】
ポンプ装置１０３は、溶液吸引パイプ１０４と、押し操作部１０５と、押し操作部１０５に設けられた溶液排出口１０６とを備える。
【０００５】
このようなポンプ装置付き容器１０１から溶液を取り出す際には、一般的に、一方の手で、押し操作部１０５の押し操作を繰り返し、他方の手の平で、溶液排出口１０６から排出される溶液を受けるようなことが行われている。
【特許文献１】特開平８−１１９３０９号公報  また、図１６は、従来のカビ取り用洗剤や風呂釜用の洗剤の噴霧装置付き容器の一例を概略的に示す断面図である。
【０００６】
従来の噴霧装置付き容器２０１は、溶液を収容する容器１０２と、噴霧装置２０３とを備える。
【０００７】
噴霧装置２０３は、溶液吸引パイプ２０４と、操作部２０５と、ノズル手段２０６と、溶液吸引パイプ２０４の途中に設けられ、溶液吸引パイプ２０４とノズル手段２０６との間の溶液の供給、停止をコントロールする弁体（この例では、球体）２０７とを備える。
【０００８】
このような噴霧装置付き容器２０１から溶液を取り出す際には、ノズル手段２０６のノズル口を霧吹き用にセットし、操作部２０５を図１６中、矢印で示すように、前後に繰り返し操作する。
【０００９】
すると、ノズル手段２０６から、容器１０２内に収容されている溶液が、霧状に噴霧される。
【発明の開示】
【発明が解決しようとする課題】
【００１０】
しかしながら、ポンプ装置付き容器１０１のユーザの中には、例えば、タオルその他のものを持った状態で、片手で、溶液の排出操作を行い、且つ、溶液の排出操作を行った手の平で溶液を受けることができるようにしたものを開発して欲しい、という要望を持っている者がいる。
【００１１】
本発明の第一の目的は、以上のような問題を解決するためになされたものであって、片手で、溶液の排出操作を行い、且つ、溶液の排出操作を行った手の平で溶液を受けることができるようにした、ポンプ手段及びポンプ装置付き容器を提供することにある。
【００１２】
また、本発明者は、今回、本発明者が開発したポンプ手段及びポンプ装置付き容器を更に改良すれば、特に、ノズル手段２０６に、敢えて、霧吹き用のノズル口を設けなくても、溶液排出口から容器に収容された溶液が霧状に噴霧できることを知見し、鋭意、努力した結果、本発明を完成するに至った。
【００１３】
即ち、本発明の第二の目的は、従来の噴霧手段及び噴霧装置付き容器とは、その構成の異なる新規な構成を備え且つ本発明に係るポンプ手段を利用した噴霧手段及び噴霧装置付き容器を提供することにある。
【課題を解決するための手段】
【００１４】
請求項１に記載のポンプ手段は、溶液吸引パイプと、溶液吸引パイプの一端に接続されたシリンダー手段と、シリンダー手段内に移動可能に設けられたピストン手段と、ピストン手段の一端に接続されるように設けられ、ピストン手段をシリンダー手段の溶液吸引パイプが接続されている側に付勢する弾性体とを備え、ピストン手段は、中空部と、その先端に貫通孔と、中空部内に移動可能に設けられ、貫通孔を開閉する第一の弁体と、ピストン手段の途中位置に、ピストン手段の一方位置に設けられた、操作レバーと、ピストン手段の弾性体が接続されている側の一端と、操作レバーが設けられている場所との間に、ピストン手段の一方位置に、溶液吸引パイプの一端から吸引された溶液を排出する溶液排出口とを備える。
【００１５】
請求項２に記載のポンプ手段は、請求項１に記載のポンプ手段の、弁体が、ピストン手段の先端に設けられている貫通孔を開閉する突起部と、突起部の後方位置に、ピストン手段の内径に等しいか概ね等しい直径を有し且つ貫通孔を有する鍔体とを備る。
【００１６】
請求項３に記載のポンプ手段は、請求項２に記載のポンプ手段の、ピストン手段の中空部の途中の位置に、弁体の移動を規制する突起を備える。
【００１７】
請求項４に記載のポンプ装置付き容器は、開口部を有する容器と、容器の開口部に、請求項１〜３のいずれかに記載のポンプ手段とを備える。
【００１８】
請求項５に記載の噴霧手段は、請求項１〜３に記載のポンプ手段のピストン手段の、ピストン手段の先端に設けられた貫通孔がある側と反対側の終端部に開口部を設け、ピストン手段の終端部の開口部から、第二のピストン手段を挿入し、第二のピストン手段を固定的に設け、第二のピストン手段は、中空部を有し、第二のピストン手段のピストン手段が外装されている側と反対側の終端部は、大気に導通するようにされており、第二のピストン手段のピストン手段が外装されている側には、部屋部が設けられており、第二のピストン手段のピストン手段が外装されている側の先端部には、部屋部に導通する第一の貫通孔が設けられ、部屋部のピストン手段が外装されている側の先端部と反対側の仕切壁には、第二の貫通孔が設けられ、部屋部内には、第二の貫通孔の開閉を行うことができる第二の弁体が収容されており、且つ、溶液排出口をピストン手段の途中位置の、操作レバーが設けられている一方位置と反対側の他方位置に設けた。
【００１９】
請求項６に記載の噴霧手段は、請求項１〜３に記載のポンプ手段のピストン手段の、ピストン手段の先端に設けられた貫通孔がある側と反対側の終端部に開口部を設け、ピストン手段の終端部の開口部から、第二のピストン手段を挿入し、第二のピストン手段を固定的に設け、第二のピストン手段は、中空部を有し、第二のピストン手段の前記ピストン手段が外装されている側と反対側の終端部は、大気に導通するようにされており、第二のピストン手段のピストン手段が外装されている側と反対側には、部屋部が設けられており、第二のピストン手段に設けた部屋部の、ピストン手段が外装されている側の仕切壁には、部屋部に導通する第一の貫通孔が設けられ、部屋部の前記ピストン手段が外装されている側の先端部と反対側の仕切壁には、第二の貫通孔が設けられ、且つ、部屋部内には、第二の貫通孔の開閉を行うことができる第二の弁体が収容されており、且つ、溶液排出口を第二のピストン手段の途中位置の操作レバーが設けられている一方位置と反対側の他方位置に設けた。
【００２０】
請求項７に記載の噴霧装置付き容器は、開口部を有する容器と、容器の開口部に、請求項５又は請求項６に記載の噴霧手段とを備える。
【発明の効果】
【００２１】
請求項１〜３のいずれかに記載のポンプ手段は、いずれも、ピストン手段として、中空部を有するものを用い、その先端に貫通孔を設け、且つ、この貫通孔を開閉する弁体を設けている。
【００２２】
また、弾性体により、シリンダー手段の溶液吸引パイプが接続されている側に付勢するようにしている。
【００２３】
従って、このポンプ手段では、そのユーザが、操作レバーの引き操作を行うと、ピストン手段の先端に設けられている貫通孔を弁体が閉じた状態にし、ピストン手段がシリンダー手段内を弾性体が設けられている側に移動し、シリンダー手段内が負圧になり、溶液吸引パイプの先端から溶液吸引パイプ内に溶液が吸引され、操作レバーの引き操作をやめれば、弾性体の付勢力により、ピストン手段がシリンダー手段内をシリンダー手段の溶液吸引パイプが接続されている側に移動するが、この時、ピストン手段の先端に設けられている貫通孔を弁体が開いた状態にするので、シリンダー手段内に溶液が存在すると、ピストン手段がシリンダー手段内をシリンダー手段の溶液吸引パイプが接続されている側に移動する際に、ピストン手段の先端に設けられている貫通孔を介して、ピストン手段の中空部内に、溶液の一部が移動する。
【００２４】
且つ、これらのポンプ手段では、操作レバーをピストン手段の途中位置の下方に設け、ピストン手段の弾性体が接続されている側の一端と、操作レバーが設けられている場所との間に、ピストン手段の下方位置に、溶液吸引パイプの一端から吸引された溶液を排出する溶液排出口を設けているので、溶液排出口の下方位置に、一方の手の平を置き、その手の指を用いて、操作レバーの引き操作を何回か繰り返すことで、手の平に溶液を受けることができる。
【００２５】
即ち、請求項１〜３のいずれかに記載のポンプ手段を用いれば、片手で、溶液の排出操作を行い、且つ、溶液の排出操作を行った手の平で溶液を受けることができる。
【００２６】
請求項４に記載のポンプ装置付き容器は、請求項１〜３のいずれかに記載のポンプ手段を備えるので、片手で、溶液の排出操作を行い、且つ、溶液の排出操作を行った手の平で溶液を受けることができる。
【００２７】
請求項５に記載の噴霧手段では、ピストン手段の先端に設けられた貫通孔がある側と反対側の終端部に開口部を設けている。
【００２８】
また、ピストン手段の終端部に設けた開口部から、終端部を大気に導通するようにした中空部を有する第２のピストン手段を挿入し、これを固定的に設けている。
【００２９】
更に、第２のピストン手段のピストン手段が外装されている側に、第２の弁体を収容する部屋部を設けている。
【００３０】
また、第二のピストン手段のピストン手段が外装されている側の先端部に、部屋部に導通する第一の貫通孔を設け、部屋部のピストン手段が外装されている側の先端部と反対側の仕切壁には、第二の貫通孔を設けている。
【００３１】
且つ、部屋部内に、第二の貫通孔の開閉を行うことができる第２の弁体が収容されている。
【００３２】
この噴霧手段では、ピストン手段の終端部側領域をシリンダー手段として用いている。
【００３３】
このシリンダー手段には、第二のピストン手段が設けられているが、この第二のピストン手段は、固定的に設けられている。
【００３４】
この結果、操作者が、操作レバーを引く操作をすると、ピストン手段の終端部側領域のシリンダー手段が、第二のピストン手段方向に移動し、このとき、第二の弁体により第二の貫通孔が閉じた状態にされた場合には、第二の貫通孔が閉じた状態にされる結果、ピストン手段内の空気及び／又は溶液が圧縮される。
【００３５】
この時、また、第一の弁体は、貫通孔を閉じた状態にし、溶液排出口から空気及び／又は溶液が噴霧される。
【００３６】
次に、操作者が、操作レバーから手を離すと、弾性体の復元力により、ピストン手段が、元の状態に戻ろうとするが、このとき、第二の弁体が第二の貫通孔を開いた状態にした場合には、第二のピストン手段の中空部は、その終端部が大気に導通するようにされているので、第二のピストン手段の中空部内には、空気が吸引される。
【００３７】
また、この時に、第一の弁体が、ピストン手段の貫通孔を開いた状態にした場合には、ピストン手段の貫通孔を通じて、ピストン手段内に溶液が入る。
【００３８】
このような操作レバーの引き操作及び引き操作の解除を何回か繰り返すと、溶液排出口から、空気と混和した状態になった溶液が霧状になって噴霧される。
【００３９】
請求項６に記載の噴霧手段では、ピストン手段の先端に設けられた貫通孔がある側と反対側の終端部に開口部を設けている。
【００４０】
また、ピストン手段の終端部に設けた開口部から、終端部を大気に導通するようにした中空部を有する第二のピストン手段を挿入し、これを固定的に設けている。
【００４１】
更に、第二のピストン手段のピストン手段が外装されている側とは反対側に、第２の弁体を収容する部屋部を設けている。
【００４２】
また、第二のピストン手段に設けた部屋部の、ピストン手段が外装されている側の仕切壁に、部屋部に導通する第一の貫通孔を設け、部屋部のピストン手段が外装されている側とは反対側の仕切壁には、第二の貫通孔を設けている。
【００４３】
且つ、部屋部内に、第二の貫通孔の開閉を行うことができる第二の弁体が収容されている。
【００４４】
この噴霧手段では、ピストン手段の終端部側領域をシリンダー手段として用いている。
【００４５】
このシリンダー手段には、第二のピストン手段が設けられているが、この第二のピストン手段は、固定的に設けられている。
【００４６】
この結果、操作者が、操作レバーを引く操作をすると、ピストン手段の終端部側領域のシリンダー手段が、第二のピストン手段方向に移動し、このとき、第二の弁体により第二の貫通孔が閉じた状態にされた場合には、第二の貫通孔が閉じた状態にされる結果、ピストン手段内の空気及び／又は溶液が圧縮される。
【００４７】
この時、また、第一の弁体は、貫通孔を閉じた状態にし、溶液排出口から空気及び／又は溶液が噴霧される。
【００４８】
次に、操作者が、操作レバーから手を離すと、弾性体の復元力により、ピストン手段が、元の状態に戻ろうとするが、このとき、第二の弁体が第二の貫通孔を開いた状態にした場合には、第二のピストン手段の中空部は、その終端部が大気に導通するようにされているので、第二のピストン手段の中空部内には、空気が吸引される。
【００４９】
また、この時に、第一の弁体が、ピストン手段の貫通孔を開いた状態にした場合には、ピストン手段の貫通孔を通じて、ピストン手段内に溶液が入る。
【００５０】
このような操作レバーの引き操作及び引き操作の解除を何回か繰り返すと、溶液排出口から、空気と混和した状態になった溶液が霧状になって噴霧される。
【００５１】
請求項７に記載の噴霧装置付き容器は、請求項５又は請求項６に記載の噴霧手段を備えるので、溶液排出口から、容器内に収容した溶液を霧状に噴霧することができる。
【発明を実施するための最良の形態】
【００５２】
（発明の実施の形態１）
以下、本発明に係るポンプ手段及びポンプ装置付き容器の一例を図面を参照しながら、更に、詳しく説明する。
【００５３】
図１は、本発明に係るポンプ装置付き容器の一例を概略的に示す分解斜視図である。
【００５４】
図１では、本発明に係るポンプ装置付き容器を３台連接するように用いている例を例示している。
【００５５】
３台のポンプ装置付き容器１、１Ａ、１Ｂの各々は、いずれも、同じ構成を有している。
【００５６】
即ち、ポンプ装置付き容器１は、開口部を有する容器２と、容器２の開口部に設けられたポンプ装置（手段）３とを備える。
【００５７】
また、ポンプ装置付き容器１Ａは、開口部を有する容器２Ａと、容器２Ａの開口部に設けられたポンプ装置（手段）３Ａとを備える。
【００５８】
また、ポンプ装置付き容器１Ｂは、開口部を有する容器２Ｂと、容器２Ｂの開口部に設けられたポンプ装置（手段）３Ｂとを備える。
【００５９】
例えば、ポンプ装置付き容器１の容器２には、シャンプーを収容し、ポンプ装置付き容器１Ａの容器２Ａには、リンスを収容し、また、ポンプ装置付き容器１Ｂの容器２Ｂには、ボディソープ（液体石鹸）を収容して、使用する。
【００６０】
また、図１中、Ｐｄで示す部材は、３台のポンプ装置付き容器１、１Ａ、１Ｂを連接した状態にするために用いる台座を示している。
【００６１】
尚、ポンプ装置付き容器１、１Ａ、１Ｂの各々の構成は同様であるので、説明を容易とするため、以下の説明では、ポンプ装置付き容器１を中心にして説明する。
【００６２】
図２は、図１に示すポンプ装置付き容器を概略的に示す断面図であり、図３（ａ）は、操作レバーｐ６が引き操作される前の状態を模式的に示す断面図であり、また、図３（ｂ）は、操作レバーｐ６が引き操作された後の状態を模式的に示す断面図である。
【００６３】
このポンプ装置付き容器１は、開口部ｈ２を有する容器２と、容器２の開口部ｈ２に設けられたポンプ装置（手段）３とを備える。
【００６４】
ポンプ装置（手段）３は、溶液吸引パイプ４と、溶液吸引パイプ４の一端ｅ４に接続されたシリンダー手段５と、シリンダー手段５内に移動可能に設けられたピストン手段６と、弾性体７とを備える。
【００６５】
図２及び図３中、８で示す部材は、ヘッドカバー体を示している。
【００６６】
ヘッドカバー体８は、溶液吸引パイプ４、シリンダー手段５、ピストン手段６及び弾性体７を覆うように設けられる。
【００６７】
シリンダー手段５の内径は、溶液吸引パイプ４の内径より大きくされている。これは、ピストン手段６を引いた状態にした際に、シリンダー手段５の容積を大きくし、溶液吸引パイプ４内に吸引雰囲気の大きな気流を生じさせ、シリンダー手段５内への溶液の吸引を容易にするためであり、且つ、ピストン手段６を押した状態にした際に、シリンダー手段５内の圧力を高くし、ピストン手段６の先端に設けられている貫通孔ｈ６を介して、ピストン手段６の中空部Ｓｐ６内への溶液の移行を容易にするためである。
【００６８】
また、ヘッドカバー体８は、ピストン手段６及び弾性体７が設けられている位置において下方の開口する開口部ｈ８を備える。
【００６９】
また、ヘッドカバー体８は、開口部ｈ８を形成する下方に垂れ下がるように設けられた壁面ｐ８を有する。
【００７０】
弾性体７は、その一端が、ヘッドカバー体８の壁面ｐ８により支持され、その他端が、ピストン手段６に接続され、ピストン手段６をシリンダー手段５の溶液吸引パイプ４が接続されている側に付勢するようにされている。
【００７１】
尚、この例では、弾性体７として、つる巻きバネを用いているが、弾性体７は、つる巻きバネに限定されることはない。
【００７２】
また、ピストン手段６は、中空部Ｓｐ６を有する。
【００７３】
また、ピストン手段６は、その先端に貫通孔ｈ６を有する。
【００７４】
また、ピストン手段６の中空部Ｓｐ６内には、移動可能に、貫通孔ｈ６を開閉する弁体（第一の弁体）９が設けられている。
【００７５】
弁体（第一の弁体）９は、ピストン手段６の先端に設けられている貫通孔ｈ６を開閉する突起部９ａと、突起部９ａの後方位置に、ピストン手段６の内径に等しいか概ね等しい直径を有する鍔体９ｂとを備える。
【００７６】
図４は、図３（ｂ）中、ＩＩＩ−ＩＩＩ線に従う概略的な断面図である。
【００７７】
弁体（第一の弁体）９の鍔体９ｂは、貫通孔ｈ９を有する。
【００７８】
また、図３中、１０で示す部材は、弁体９の移動を規制する突起を示している。
【００７９】
また、ピストン手段６は、その途中位置に、ピストン手段６の下方位置（一方位置）に操作レバーｐ６を備える。
【００８０】
また、ピストン手段６は、ピストン手段６の弾性体７が接続されている側の一端と、操作レバーｐ６が設けられている場所との間に、ピストン手段６の下方位置（一方位置）に、溶液吸引パイプ４の先端（図２中に示す、先端ｅ４）から吸引された溶液を排出する溶液排出口１１を備える。
【００８１】
次に、ポンプ装置付き容器１の使用方法及び動作を例示的に説明する。
【００８２】
図５及び図６は、ポンプ装置付き容器１の使用方法及び動作を例示的に説明する説明図である。
【００８３】
このポンプ装置付き容器１から容器２内の溶液を取り出す際には、まず、ユーザは、一方の手の平を、図５（ａ）に示すように、ピストン手段６に設けられている溶液排出口１１の下方の位置に位置させる。
【００８４】
次に、図５（ｂ）に示すように、ピストン手段６に設けられている溶液排出口１１の下方（一方）の位置に位置させた手の指を用いて、操作レバーｐ６の引き操作を行う。
【００８５】
すると、弁体（第一の弁体）９は、その鍔体９ｂにより、突起９ａが、ピストン手段６の先端に設けられている貫通孔ｈ６と整列するようにされ、且つ、慣性の法則に従って、図５（ａ）に示す位置に止まろうとする。
【００８６】
この結果、操作レバーｐ６の引き操作により、弾性体７の付勢力に逆らって、ピストン手段６が、弾性体７の方向に移動する際に、弁体（第一の弁体）９の突起９ａが、ピストン手段６の先端に設けられている貫通孔ｈ６を閉じた状態にする。
【００８７】
ピストン手段６は、弁体（第一の弁体）９の突起９ａによりその先端に設けられている貫通孔ｈ６が閉じられた状態となって、シリンダー手段５内を引き操作される結果、シリンダー手段５内のシリンダー手段５とピストン手段６とにより囲まれる空間が負圧となり、溶液吸引パイプ４の先端（図２中に示す、先端ｅ４）から溶液吸引パイプ４内に容器２内に収容されている溶液が吸引される。
【００８８】
ユーザが、操作レバーｐ６の引き操作をやめると、図５（ｃ）に示すように、弾性体７の復元力により、ピストン手段６が、シリンダー手段５内を押し操作（ピストン手段６がシリンダー手段５内をシリンダー手段５の溶液吸引パイプ４が接続されている側に移動）するが、この時、第一の弁体９は、慣性の法則に従って、図５（ｂ）に示す位置に止まろうとするので、第一の弁体９は、ピストン手段６の先端に設けられている貫通孔ｈ６を開いた状態にする。
【００８９】
以下、図６（ａ）、図６（ｂ）及び図６（ｃ）に示すように、ピストン手段６に設けられている溶液排出口１１の下方の位置に位置させた手の指を用いて、図５（ａ）、図５（ｂ）及び図５（ｃ）に示したと同様の、操作レバーｐ６の引き操作と、その操作をやめるという動作とを繰り返し行うと、溶液吸引パイプ４の先端（図２中に示す、先端ｅ４）から溶液吸引パイプ４内に容器２内に収容されている溶液が吸引され、シリンダー手段６内に吸引される（図６（ａ）を参照）。
【００９０】
シリンダー手段６内に吸引された溶液は、ユーザが、操作レバーｐ６の引き操作をやめると、図６（ｂ）に示すように、弾性体７の復元力により、ピストン手段６が、シリンダー手段５内を押し操作（ピストン手段６がシリンダー手段５内をシリンダー手段５の溶液吸引パイプ４が接続されている側に移動）するが、この時、第一の弁体９は、慣性の法則に従って、図６（ａ）に示す位置に止まろうとするので、第一の弁体９は、ピストン手段６の先端に設けられている貫通孔ｈ６を開いた状態にするので、シリンダー手段５の溶液の一部が、ピストン手段６の先端に設けられている貫通孔ｈ６を介して、ピストン手段６の中空部Ｓｐ６内へ移動する。
【００９１】
弁体（第一の弁体）９の鍔体９ｂには、貫通孔ｈ９が設けられているので、ユーザが、操作レバーｐ６の引き操作とその操作をやめるという動作を繰り返し行う間に、ピストン手段６の中空部Ｓｐ６内へ移動した溶液が、溶液排出口１１を通じて、操作レバーｐ６の引き操作とその操作をやめるという動作を繰り返し行っている手の平に排出される（図６（ｂ）、図６（ｃ）を参照）。
【００９２】
即ち、ポンプ装置（手段）３を用いれば、片手で、容器２内の溶液の排出操作を行い、且つ、溶液の排出操作を行った手の平で溶液を受けることができる。
【００９３】
以上の説明は、ポンプ装置（手段）３を容器２に取り付けたものを例にして説明したが、このポンプ装置（手段）３は、容器２に取り付けられた状態のみで使用されるものではなく、例えば、灯油缶から石油ストーブの燃料タンク内に灯油を給油する手段や、ある場所に貯留されている水等をタンク内に収容する手段としても、好適に、用いることができる。
【００９４】
なお、図１は、ポンプ装置付き容器を例示的に示すものであり、３台に限定されるものではなく、１台であっても、２台であっても、３台以上であっても良い。
【００９５】
（発明の実施の形態２）
以下、本発明に係る噴霧手段及び噴霧装置付き容器の一例を図面を参照しながら、更に、詳しく説明する。
【００９６】
尚、以下の説明では、説明を容易とするために、図７〜図１２中に示す、本発明に係る噴霧手段及び噴霧装置付き容器の構成部材中、ポンプ装置（手段）３及びポンプ装置付き容器１の構成部材に相当する構成部材については、ポンプ装置（手段）３及びポンプ装置付き容器１の構成部材に付した符号に相当する符号を付して、その説明を省略する。
【００９７】
図７は、本発明に係る噴霧装置（手段）及び噴霧装置付き容器を概略的に示す図であり、図７（ａ）は、その概略的な断面図を示しており、図７（ｂ）は、図７（ａ）中、Ａ−Ａ線に従う断面図を、また、図７（ｃ）は、図７（ａ）中、Ｂ−Ｂ線に従う断面図を示している。
【００９８】
この噴霧装置付き容器２１は、開口部ｈ２を有する容器２と、容器２の開口部ｈ２に設けられた噴霧装置（手段）３１とを備える。
【００９９】
噴霧装置（手段）３１は、ポンプ装置３のピストン手段６の、ピストン手段６の先端に設けられた貫通孔ｈ８がある側と反対側の終端部ｅ６に開口部ｈ６ａを備える。
【０１００】
ピストン手段６の終端部の開口部には、第二のピストン手段３２を挿入するようにしている。
【０１０１】
第二のピストン手段３２の内径は、ピストン手段６の外径に等しいかこれよりやや大きくされており、ピストン手段６の内壁に対し、第二のピストン手段３２の外壁が、気密に摺動するようにされている。
【０１０２】
即ち、ピストン手段６と第二のピストン手段３２とは、ピストン手段６の後段部が、第二のピストン手段３２との関係では、シリンダー手段になっている。
【０１０３】
この第二のピストン手段３２は、ヘッドカバー体８に固定的に設けられている。
【０１０４】
また、第二のピストン手段３２は、中空部Ｓｐ３２を有している。
【０１０５】
そして、第二のピストン手段３２のピストン手段６が外装されている側と反対側の終端部ｅ３２は、ヘッドカバー体８に設けた貫通孔ｈ８ａを通じて、大気に導通するようにされている。
【０１０６】
また、第二のピストン手段３２のピストン手段６が外装されている側には、部屋部Ｒ３２が設けられている。
【０１０７】
部屋部Ｒ３２は、第二のピストン手段３２の中空部を形成する側周面と、前面壁Ｗ３２ａと、前面壁Ｗ３２ａから所定の距離を隔てるようにして設けられた仕切壁Ｗ３２ｂにより形成されている。
【０１０８】
また、第二のピストン手段３２のピストン手段６が外装されている側の先端部（前面壁Ｗ３２ａ）には、部屋部Ｒ３２に導通する第一の貫通孔ｈ３２ａが設けられ、部屋部Ｒ３２のピストン手段６が外装されている側の先端部（前面壁Ｗ３２ａ）と反対側の仕切壁Ｗ３２ｂには、第二の貫通孔ｈ３２ｂが設けられている。
【０１０９】
また、部屋部Ｒ３２内には、第二の貫通孔ｈ３２ｂの開閉を行うことができる第二の弁体３３が収容されている。
【０１１０】
尚、第一の貫通孔ｈ３２ａは、図７（ｃ）に示すように、第二のピストン手段３２の側周壁方向に伸びるスリット手段ｈ３２ａｓを備えており、第一の貫通孔ｈ３２ａに第２の弁体３３が接触しているときにも、空気が、第一の貫通孔ｈ３２ａを介して、ピストン手段６と第二のピストン手段３２との間で、導通できるようにされている。
【０１１１】
また、この噴霧装置３１では、溶液排出口１１をピストン手段６の途中位置に、操作レバーｐ６が設けられている一方位置とは反対側の他方位置に設けている。
【０１１２】
また、この噴霧装置３１では、弾性体７に代えて、弾性体７Ａを用いている。
【０１１３】
この例では、弾性体７Ａとして、つる巻きバネを用いており、弾性体７Ａは、ピストン手段６の外壁及び第二のピストン手段３２外壁を覆うように設けられている。
【０１１４】
且つ、弾性体７Ａは、ヘッドカバー体８とピストン手段６との間に、ピストン手段６を、常時、シリンダー手段５側へ付勢するように設けられている。
【０１１５】
より特定的に説明すると、この例では、弾性体７Ａは、ピストン手段６に設けられている操作レバーｐ６及びこの操作レバーｐ６の位置からピストン手段６の側周面を巻きまわりするように設けられた弾性体支持突起部ｐ６ａと、ヘッドカバー体８の内壁とにより、支持されている。
【０１１６】
次に、噴霧装置（手段）３１及び噴霧装置付き容器２１の動作原理を説明する。
【０１１７】
この噴霧装置（手段）３１では、ピストン手段６の先端に設けられた貫通孔ｈ６がある側と反対側の終端部に開口部ｈ６ａを設けている。
【０１１８】
また、ピストン手段６の終端部に設けた開口部ｈ６ａから、終端部ｅ３２を大気に導通するようにした中空部Ｓｐ３２を有する第２のピストン手段３２を挿入し、これを固定的に設けている。
【０１１９】
更に、第２のピストン手段３２のピストン手段６が外装されている側に、第２の弁体３３を収容する部屋部Ｒ３２を設けている。
【０１２０】
また、第２のピストン手段３２のピストン手段６が外装されている側の先端部（前面壁Ｗ３２ａ）に、部屋部に導通する第１の貫通孔ｈ３２ａを設け、部屋部Ｒ３２のピストン手段６が外装されている側の先端部と反対側の仕切壁Ｗ３２ｂには、第２の貫通孔ｈ３２ｂを設けている。
【０１２１】
且つ、部屋部Ｒ３２内に、第２の貫通孔ｈ３２ｂの開閉を行うことができる第２の弁体３３が収容されている。
【０１２２】
この噴霧装置（手段）３１では、ピストン手段６の終端部側領域をシリンダー手段として用いている。
【０１２３】
このシリンダー手段（ピストン手段６の終端部側領域）には、第二のピストン手段３２が設けられているが、この第二のピストン手段３２は、固定的に設けられている。
【０１２４】
この結果、操作者が、操作レバーｐ６を引く操作をすると、ピストン手段６の終端部側領域のシリンダー手段が、第二のピストン手段３２方向に移動し、このとき、第二の弁体３３により第二の貫通孔ｈ３２ｂが閉じた状態にされた場合には、第二の貫通孔ｈ３２ｂが閉じた状態にされる結果、ピストン手段６内の空気及び／又は溶液が圧縮される。
【０１２５】
この時、また、第一の弁体９は、貫通孔ｈ６を閉じた状態にし、溶液排出口１１から空気及び／又は溶液が噴霧される（図７（ａ）及び図８を参照）。
【０１２６】
次に、操作者が、操作レバーｐ６から手を離すと、弾性体７Ａの復元力により、ピストン手段６が、元の状態に戻ろうとするが、このとき、第二の弁体３３が第二の貫通孔ｈ３２ｂを開いた状態にした場合には、第二のピストン手段３２の中空部Ｓｐ３２は、その終端部が、ヘッドカバー体８に設けられた貫通孔ｈ８ａを介して大気に導通するようにされているので、第二のピストン手段３２の中空部内Ｓｐ３２には、空気が吸引される。
【０１２７】
また、この時に、第一の弁体が、ピストン手段の貫通孔を開いた状態にした場合には、ピストン手段の貫通孔を通じて、ピストン手段内に溶液が入る（図９を参照）。
【０１２８】
このような操作レバーの引き操作及び引き操作の解除を何回か繰り返すと、溶液排出口から、空気と混和した状態になった溶液が霧状になって噴霧される（図１０、図１１及び図１２を参照）。
【０１２９】
以上の説明から明らかなように、この噴霧装置（手段）３１及び噴霧装置付き容器２１は、容器内の溶液を溶液排出口１１から霧状に噴霧できるのでカビ取り用や風呂釜用その他の用途に用いる噴霧装置（手段）及び噴霧装置付き容器として好適に用いることができる。
【０１３０】
また、溶液排出口１１の先端に、霧吹き用のノズル手段や、霧吹き用、液吹き用、停止用に交換可能なノズル手段を設けるようにしてもよい。
【０１３１】
（発明の実施の形態３）
以下、本発明に係る噴霧装置（手段）及び噴霧装置付き容器の他の一例を図面を参照しながら、更に、詳しく説明する。
【０１３２】
尚、以下の説明でも、説明を容易とするために、図１３中に示す、本発明に係る噴霧手段及び噴霧装置付き容器の構成部材中、ポンプ装置３及びポンプ装置付き容器１の構成部材に相当する構成部材については、ポンプ装置３及びポンプ装置付き容器１の構成部材に付した符号に相当する符号を付して、その説明を省略する。
【０１３３】
図１３は、本発明に係る噴霧装置付き容器の他の一例を概略的に示す斜視図である。尚、図１３では、この噴霧装置付き容器に用いている噴霧装置（手段）の構成の理解容易のため、ヘッドカバー体８を想像線で表している。
【０１３４】
また、図１４は、図１３に示す噴霧装置付き容器を概略的に示す断面図である
この噴霧装置付き容器４１は、開口部ｈ２を有する容器２と、容器２の開口部ｈ２に設けられた噴霧装置（手段）５１とを備える。
【０１３５】
噴霧手段５１は、ポンプ装置（手段）３のピストン手段６の、ピストン手段６の先端に設けられた貫通孔ｈ８がある側と反対側の終端部ｅ６に開口部ｈ６ａを備える。
【０１３６】
ピストン手段６の終端部の開口部には、第二のピストン手段５２を挿入するようにしている。
【０１３７】
第二のピストン手段５２の外径は、ピストン手段６の内径に等しいかこれよりやや小さくされており、第二のピストン手段５２の外壁に対し、ピストン手段６の内壁が、気密に摺動するようにされている。
【０１３８】
即ち、ピストン手段６と第二のピストン手段５２とは、ピストン手段６の後段部が、第二のピストン手段５２との関係では、シリンダー手段になっている。
【０１３９】
この第二のピストン手段５２は、ヘッドカバー体８に固定的に設けられている。
【０１４０】
また、第二のピストン手段５２は、中空部Ｓｐ５２を有している。
【０１４１】
そして、第二のピストン手段５２のピストン手段６が外装されている側と反対側の終端部ｅ５２は、ヘッドカバー体８に設けた貫通孔ｈ８ａを通じて、大気に導通するようにされている。
【０１４２】
また、第二のピストン手段５２のピストン手段６が外装されている側と反対側には、部屋部Ｒ５２が設けられている。
【０１４３】
部屋部Ｒ５２は、第二のピストン手段５２の中空部を形成する側周面と、前面壁Ｗ５２ａと、前面壁Ｗ５２ａから所定の距離を隔てるようにして設けられた仕切壁Ｗ５２ｂにより形成されている。
【０１４４】
また、第二のピストン手段５２のピストン手段６が外装されている側の前面壁Ｗ５２ａには、部屋部Ｒ５２に導通する第一の貫通孔ｈ５２ａが設けられ、部屋部Ｒ５２のピストン手段６が外装されている側と反対側の仕切壁Ｗ５２ｂには、第二の貫通孔ｈ５２ｂが設けられている。
【０１４５】
また、部屋部Ｒ５２内には、第二の貫通孔ｈ５２ｂの開閉を行うことができる第二の弁体５３が収容されている。
【０１４６】
尚、第一の貫通孔ｈ５２ａは、図７（ｃ）に示す第一の貫通孔ｈ３２ａと同様の構成を備える。
【０１４７】
即ち、第一の貫通孔ｈ５２ａは、第二のピストン手段５２の側周壁方向に伸びるスリット手段（図７（ｃ）に示すスリット手段ｈ３２ａｓを参照。）を備えており、第一の貫通孔ｈ５２ａに第２の弁体５３が接触しているときにも、空気が、第一の貫通孔ｈ５２ａを介して、ピストン手段６と第二のピストン手段５２との間で、導通できるようにされている。
【０１４８】
また、この噴霧装置５１では、溶液排出口１１を第二のピストン手段５２の途中位置に、操作レバーｐ６が設けられている一方位置とは反対側の他方位置に設けている。
【０１４９】
この例では、溶液排出口１１は、カバーヘッド体８に設けた、溶液排出口挿通孔ｈ８ｂから、カバーヘッド体８の外方へ突出するように設けられている。
【０１５０】
また、この例では、操作レバーｐ６を、カバーヘッド体８に設けた回転軸６ａｘに回転可能に取り付けている。
【０１５１】
そして、この例では、ピストン手段６の外壁面に突起６ｐ、６ｐを設けている。
【０１５２】
また、この例では、操作レバーｐ６には、突起６ｐ、６ｐの各々の直径と上下方向に等しいかこれよりもやや大きい幅を有し、且つ、横方向には、操作レバーｐ６を回転軸６ａｘを中心に回動した際に、操作レバーｐ６の回転運動を、ピストン手段６を直線運動に変換するための長さを有する長孔ｈｐ６、ｈｐ６を設けている。
【０１５３】
そして、この例では、操作レバーｐ６を回転軸６ａｘを回転軸にして回転運動させると、ピストン手段６が直線運動をし、溶液排出口１１から容器２内に収容されている溶液が噴霧されるようにしている。
【０１５４】
また、この噴霧装置５１では、弾性体７に代えて、弾性体７Ｂを用いている。
【０１５５】
この例では、弾性体７Ｂとして、つる巻きバネを用いており、弾性体７Ｂは、ピストン手段６の外壁及び第二のピストン手段５２の外壁を覆うように設けられている。
【０１５６】
且つ、弾性体７Ｂは、ヘッドカバー体８とピストン手段６との間に、ピストン手段６を、常時、シリンダー手段５側へ付勢するように設けられている。
【０１５７】
より特定的に説明すると、この例では、弾性体７Ｂは、ピストン手段６の終端部に設けられた鍔体と、第二のピストン手段５２に設けられた溶液排出口１１及びこの周りに設けられた突起部ｐ５２により、支持されている。
【０１５８】
次に、噴霧手段５１及び噴霧装置付き容器４１の動作原理を説明する。
【０１５９】
この噴霧手段５１では、ピストン手段６の先端に設けられた貫通孔ｈ６がある側と反対側の終端部に開口部ｈ６ａを設けている。
【０１６０】
また、ピストン手段６の終端部に設けた開口部ｈ６ａから、終端部ｅ５２を大気に導通するようにした中空部Ｓｐ５２を有する第二のピストン手段５２を挿入し、これを固定的に設けている。
【０１６１】
更に、第二のピストン手段５２のピストン手段６が外装されている側とは反対側に、第２の弁体５３を収容する部屋部Ｒ５２を設けている。
【０１６２】
また、第二のピストン手段５２のピストン手段６が外装されている側の前面壁Ｗ５２ａに、部屋部Ｒ５２に導通する第１の貫通孔ｈ５２ａを設け、部屋部Ｒ５２のピストン手段６が外装されている側と反対側の仕切壁Ｗ５２ｂには、第二の貫通孔ｈ５２ｂを設けている。
【０１６３】
且つ、部屋部Ｒ５２内に、第２の貫通孔ｈ５２ｂの開閉を行うことができる第２の弁体５３が収容されている。
【０１６４】
この噴霧手段５１では、ピストン手段６の終端部側領域をシリンダー手段として用いている。
【０１６５】
このシリンダー手段（ピストン手段６の終端部側領域）には、第二のピストン手段５２が設けられているが、この第二のピストン手段５２は、固定的に設けられている。
【０１６６】
この結果、操作者が、操作レバーｐ６を引く操作をすると、ピストン手段６の終端部側領域のシリンダー手段として機能する部分が、第二のピストン手段５２方向に移動し、このとき、第二の弁体５３により第二の貫通孔ｈ５２ｂが閉じた状態にされた場合には、第二の貫通孔ｈ５２ｂが閉じた状態にされる結果、ピストン手段６内の空気及び／又は溶液が圧縮される。
【０１６７】
この時、また、第一の弁体９は、貫通孔ｈ６を閉じた状態にし、溶液排出口１１から空気及び／又は溶液が噴霧される。
【０１６８】
次に、操作者が、操作レバーｐ６から手を離すと、弾性体７Ｂの復元力により、ピストン手段６が、元の状態に戻ろうとするが、このとき、第二の弁体５３が第二の貫通孔ｈ５２ｂを開いた状態にした場合には、第二のピストン手段５２の中空部Ｓｐ５２は、その終端部が、ヘッドカバー体８に設けられた貫通孔ｈ８ａを介して大気に導通するようにされているので、第二のピストン手段５２の中空部内Ｓｐ５２には、空気が吸引される。
【０１６９】
また、この時に、第一の弁体が、ピストン手段６の貫通孔ｈ６を開いた状態にした場合には、ピストン手段６の貫通孔ｈ６を通じて、ピストン手段６内に溶液が入る。
【０１７０】
このような操作レバーｐ６の引き操作及び引き操作の解除を何回か繰り返すと、溶液排出口から、空気と混和した状態になった溶液が霧状になって噴霧される。
【０１７１】
以上の説明から明らかなように、この噴霧装置５１及び噴霧装置付き容器４１は、容器内の溶液を溶液排出口１１から霧状に噴霧できるのでカビ取り用や風呂釜用その他の用途に用いる噴霧装置及び噴霧装置付き容器として好適に用いることができる。
【０１７２】
更に、この噴霧装置５１では、溶液排出口１１を第二のピストン手段５２側に設けている。
【０１７３】
即ち、この噴霧装置５１では、溶液排出口１１が、固定的に設けられている、第二のピストン手段５２側に設けられているので、操作レバーｐ６の引き操作及び引き操作の解除を繰り返しても、これに伴って、溶液排出口１１は、上下運動をしない。
【０１７４】
この結果、この噴霧装置５１を用いれば、溶液排出口１１から、目的場所に対して、正確に、容器２内に収容されている溶液を噴霧することができる。
【０１７５】
また、この例に示すように、第二のピストン手段５２の外壁面に突起ｐ５２、ｐ５２を設け、ピストン手段６には、突起ｐ５２、ｐ５２の各々の直径と上下方向に等しいかこれよりもやや大きい幅を有し、且つ、横方向には、操作レバーｐ６を回転軸６ａｘを中心に回動した際に、操作レバーｐ６の回転運動を直線運動に変換するための長さを有する長孔ｈ６ｐ、ｈ６ｐを設け、操作レバーｐ６を回転軸６ａｘを回転軸にして回転運動させると、溶液排出口１１から容器２内に収容されている溶液が噴霧されるようにしてもよい。
【０１７６】
この操作レバーｐ６の回転機構は、操作レバーｐ６を、上下方向に回転操作させるものであるので、図１６に示す噴霧手段２０３の操作部２０５のような操作部を前後方向（横方向）に移動させるものに比べ、容器２を水平方向に保てるという効果がある。
【０１７７】
また、溶液排出口１１の先端に、霧吹き用のノズル手段や、霧吹き用、液吹き用、停止用に交換可能なノズル手段を設けるようにしてもよい。
【０１７８】
尚、この操作レバーｐ６を回転軸６ａｘを回転軸にして回転運動させると、溶液排出口１１から容器２内に収容されている溶液が噴霧する構成は、噴霧手段３１にも適用可能である。
【産業上の利用可能性】
【０１７９】
本発明に係るポンプ手段は、片手で、溶液の排出操作を行い、且つ、溶液の排出操作を行った手の平で溶液を受けることができるので、例えば、シャンプーや、リンスや、ボディソープ（液体石鹸）その他のトイレタリー商品（溶液商品）や、化粧品（溶液商品）等のポンプ手段として好適に用いることができる。
【０１８０】
また、本発明に係るポンプ装置付き容器は、片手で、溶液の排出操作を行い、且つ、溶液の排出操作を行った手の平で溶液を受けることが要望される、例えば、シャンプーや、リンスや、ボディソープ（液体石鹸）その他のトイレタリー商品（溶液商品）や、化粧品（溶液商品）、消毒剤等のポンプ装置付き容器として好適に用いることができる。
【０１８１】
また、本発明に係る噴霧手段及び噴霧装置付き容器は、カビ取り剤、風呂釜用洗剤、衣服や部屋の消臭・防臭剤、除草剤、除虫剤、液肥、フローリング等の床用ワックス剤、車用ワックス剤、衣服の柔軟剤、アイロンスムーサ剤等の噴霧手段及び噴霧装置付き容器として好適に用いることができる。
【図面の簡単な説明】
【０１８２】
【図１】本発明に係るポンプ装置付き容器の一例を概略的に示す分解斜視図である。
【図２】図１に示すポンプ装置付き容器を概略的に示す断面図である。
【図３】図３（ａ）は、操作レバーが引き操作される前の状態を模式的に示す断面図であり、また、図３（ｂ）は、操作レバーが引き操作された後の状態を模式的に示す断面図である。
【図４】図３（ｂ）中、ＩＩＩ−ＩＩＩ線に従う概略的な断面図である。
【図５】図１に示すポンプ装置付き容器の使用方法及び動作を例示的に説明する説明図である。
【図６】ポンプ装置付き容器の使用方法及び動作を例示的に説明する説明図である。
【図７】本発明に係る噴霧装置（手段）及び噴霧装置付き容器の一例を概略的に示す図であり、図７（ａ）は、その概略的な断面図を示しており、図７（ｂ）は、図７（ａ）中、Ａ−Ａ線に従う断面図を、また、図７（ｃ）は、図７（ａ）中、Ｂ−Ｂ線に従う断面図を示している。
【図８】本発明に係る噴霧装置（手段）及び噴霧装置付き容器の使用方法及び動作を例示的に説明する説明図である。
【図９】本発明に係る噴霧装置（手段）及び噴霧装置付き容器の使用方法及び動作を例示的に説明する説明図である。
【図１０】本発明に係る噴霧装置（手段）及び噴霧装置付き容器の使用方法及び動作を例示的に説明する説明図である。
【図１１】本発明に係る噴霧装置（手段）及び噴霧装置付き容器の使用方法及び動作を例示的に説明する説明図である。
【図１２】本発明に係る噴霧装置（手段）及び噴霧装置付き容器の使用方法及び動作を例示的に説明する斜視図である。
【図１３】本発明に係る噴霧装置（手段）及び噴霧装置付き容器の他の一例を概略的に説明する説明図である。
【図１４】本発明に係る噴霧装置（手段）及び噴霧装置付き容器の他の一例を概略的に説明する説明図である。
【図１５】従来のポンプ装置付き容器の一例を概略的に示す斜視図である。
【図１６】従来の噴霧装置付き容器の一例を概略的に示す斜視図である。
【符号の説明】
【０１８３】
１、１Ａ、１Ｂ  ポンプ装置（手段）付き容器
２、２Ａ、２Ｂ  容器
３、３Ａ、３Ｂ  ポンプ装置（手段）
４  溶液吸引パイプ
５  シリンダー手段
６  ピストン手段
７、７Ａ、７Ｂ  弾性体
８  ヘッドカバー体
９  弁体（第一の弁体）
１０  弁体の移動を規制する突起
１１  溶液排出口
２１  噴霧装置付き容器
３１、５１  噴霧装置（手段）
３２、５２  第二のピストン手段
３３、５３  第二の弁体
ｈ２  開口部
ｈ６、ｈ８ａ  貫通孔
ｈ８  開口部
ｈ３２ａ  第一の貫通孔
ｈ３２ｂ  第二の貫通孔
ｐ６  操作レバー
ｐ８  壁面
Ｒ３２、Ｒ５２  部屋部
Ｓｐ６、Ｓｐ３２、Ｓｐ５２  中空部
【図１】
2005140102.tif 000003
【図２】
2005140102.tif 000004
【図３】
2005140102.tif 000005
【図４】
2005140102.tif 000006
【図５】
2005140102.tif 000007
【図６】
2005140102.tif 000008
【図７】
2005140102.tif 000009
【図８】
2005140102.tif 000010
【図９】
2005140102.tif 000011
【図１０】
2005140102.tif 000012
【図１１】
2005140102.tif 000013
【図１２】
2005140102.tif 000014
【図１３】
2005140102.tif 000015
【図１４】
2005140102.tif 000016
【図１５】
2005140102.tif 000017
【図１６】
2005140102.tif 000018